(57)【要約】【課題】使用者の不快感を低減する。【解決手段】シャツ１は、シャツ本体２と保持部３とを備える。保持部３は、シャツ本体２の表地に設けられている。保持部３は、衣類用の平ゴムの両端を揃えて折り重ね、重ねた両端側を上側とし、折り返し側を下側とした状態で両端部をシャツ本体２に縫い付けることによって作製される環状部材によって構成されている。シャツ１は、身飾品のカニカン７を保持部が形成する環状の空間に貫通させて留めることにより、身飾品を装着することが可能となっている。【選択図】図１
0003197012.tif 000002
【実用新案登録請求の範囲】
【請求項１】
衣服本体と、
前記衣服本体の表地に設けられ、身飾品を保持する保持部と、
を備えたことを特徴とする衣服。
【請求項２】
前記保持部は、前記身飾品の留め金具が貫通可能な空間を形成する環状部材によって構成されている
ことを特徴とする請求項１に記載の衣服。
【請求項３】
前記保持部は、前記身飾品に設けられた線ファスナーの身飾品側の務歯と噛み合うことが可能な衣服側の務歯と、前記衣服側の務歯を支持するテープとを少なくとも含む
ことを特徴とする請求項１に記載の衣服。
【考案の詳細な説明】
【技術分野】
【０００１】
本考案は、衣服に関する。
【背景技術】
【０００２】
従来より、衣服に身飾品を留める留め具が提案されている。
【０００３】
特許文献１には、衣服を貫通したピンを表側の身飾品と裏側の留め具とで保持することにより、衣服に身飾品を留める構成が開示されている。
特許文献２には、ドレスの孔から花の茎をドレスの表側から裏側に向かって貫通させて裏側の花留め具で保持することにより、ドレスに花を留める構成が開示されている。
【先行技術文献】
【特許文献】
【０００４】
【特許文献１】特開平１１−２４４０１１号公報
【特許文献２】特開２００４−１７４２３９号公報
【考案の概要】
【考案が解決しようとする課題】
【０００５】
特許文献１、２に記載の技術では、留め具が衣服の裏側に設けられるので、留め具が使用者の身体を押圧する感触によって衣服の着心地が悪くなる虞がある。特に、衣服が肌着の場合には、留め具が素肌に接触するので、衣服の着心地が悪く不快になる虞が高くなるだけでなく、例えば、使用者が金属アレルギーで金属の装身具を身につけられない場合には、肌着では金属の留め具が使用できないという問題がある。
【０００６】
本考案は、上述のような事情に鑑みてなされたものであり、使用者の不快感を低減する衣服を提供することを目的とする。
【課題を解決するための手段】
【０００７】
上記目的を達成するため、本考案に係る衣服は、
衣服本体と、
前記衣服本体の表地に設けられ、身飾品を保持する保持部と、
を備えたことを特徴とする。
【０００８】
なお、本考案に係る衣服において、
前記保持部は、前記身飾品の留め金具が貫通可能な空間を形成する環状部材によって構成されていてもよい。
【０００９】
なお、本考案に係る衣服において、
前記保持部は、前記身飾品に設けられた線ファスナーの身飾品側の務歯と噛み合うことが可能な衣服側の務歯と、前記衣服側の務歯を支持するテープとを少なくとも含んでもよい。
【考案の効果】
【００１０】
本考案によれば、使用者の不快感を低減することができる。
【図面の簡単な説明】
【００１１】
【図１】（Ａ）実施形態１に係るシャツの正面図、（Ｂ）身飾品を装着したシャツの正面図である。
【図２】（Ａ）実施形態２に係るシャツの正面図、（Ｂ）身飾布を装着したシャツの正面図である。
【考案を実施するための形態】
【００１２】
以下に、本考案を実施するための形態について図面を参照して詳細に説明する。なお、図中同一または相当する部分には同じ符号を付す。なお、本考案の構成に対する理解を容易にするため、図面の前方を「前」又は「表」、後方を「後」又は「裏」、上方を「上」、下方を「下」、左方を「左」、右方を「右」とそれぞれ記載して説明する。
【００１３】
（実施形態１）
図１（Ａ）は実施形態１に係るシャツの正面図、図１（Ｂ）は身飾品を装着したシャツの正面図である。
本考案の実施形態１に係る衣服の一例としてのシャツ１は、図１（Ａ）に示すように、シャツ本体（衣服本体）２と保持部３とを備える。
【００１４】
シャツ本体２は、女性用のロングＴシャツによって構成されている。
保持部３は、上側環状部材４と下側環状部材５とによって構成されている。
上側環状部材４は、シャツ本体２の表地の左右方向中央部の上端部のシャツ本体２の首元に設けられている。
下側環状部材５は、上側環状部材４の下方に間隔を空けて設けられている。
各環状部材４、５は、衣類用の平ゴム、所謂コールゴムの両端を揃えて折り重ね、重ねた両端側を上側とし、折り返し側を下側とした状態で両端部（上端部）をシャツ本体２に縫い付けることによって作製されている。なお、各環状部材４、５の下端部は、左右両端を揃えて折り重ねた状態で縫い付けられており、保持部３の左右方向の長さ（幅）は、下方に進むに連れて狭くなっている。
【００１５】
本実施形態では、図１（Ｂ）に示すように、保持部３は、身飾品６を保持することが可能となっている。身飾品６は、下げ吊り用の留め金具の一例としてのカニカン７を備えている。よって、カニカン７を各環状部材４、５がそれぞれ形成する環状の空間に貫通させて留める（引っ掛ける）ことにより、シャツ１に身飾品６を装着することが可能となっている。
【００１６】
以上説明したように、本実施形態に係るシャツ１によれば、身飾品６のカニカン７を保持する保持部３がシャツ本体２の表地に設けられている。
このようにすることで、カニカンがシャツ本体の裏地側に設けられる衣服よりもカニカン７が使用者の身体を押圧する感触によって衣服の着心地が悪くなり難くなる。また、シャツ１が肌着の場合にはカニカン７が素肌に接触しないので、シャツ１の着心地が悪く不快になることを低減できる。この結果、使用者の不快感を低減できる。また、保持部３がシャツ本体２の表地に設けられているので、身飾品６を装着しないときには保持部３をシャツ１の外観のデザインとして用いることもできる。また、シャツ１から身飾品６を脱着することができるので、シャツ１のみを洗濯することができる。
【００１７】
また、本実施形態に係るシャツ１によれば、保持部３の幅は、下方に進むに連れて狭くなっている。
このようにすることで、保持部の幅が下方に進むに連れて狭くなっていないシャツよりも小さなカニカン７を保持部３に留め易くすることができる。
【００１８】
なお、本実施形態では、身飾品６をシャツ本体２の目立つ位置で保持するために、上側環状部材４を首元に設けて下側環状部材５を上側環状部材４の下方に設けたが、各環状部材４、５の位置はこれに限定されず、シャツ本体２の表地の任意の位置に設けてもよい。
なお、本実施形態では、保持部３として各環状部材４、５を２個設けたが、各環状部材４、５の数はこれに限定されず、１個のみ設けたり、３個以上設けたりしてもよい。
なお、本実施形態では、各環状部材４、５を折り重ねた平ゴムによって構成したが、各環状部材４、５は身飾品６を保持可能である限りにおいて、任意の材料で作製してもよく、例えば、シャツ本体２と同様の布地で作製したり、金属で作製したりしてもよい。
なお、本実施形態では、身飾品６にはカニカン７が設けられていたが、身飾品６が保持部３に保持されることが可能である限りにおいて、任意の留め具であってもよく、例えば、引き輪等の留め金具や、フック状の金具や、保持部３が形成する環状の空間を通過して引っ掛かることが可能な釦等であってもよい。
なお、本実施形態では、身飾品６を下げ吊り飾りとしたが、例えば、カフスボタン等の釦状としてもよい。
【００１９】
（実施形態２）
図２（Ａ）は実施形態２に係るシャツの正面図、図２（Ｂ）は身飾布を装着したシャツの正面図である。
本考案の実施形態２に係る衣服の一例としてのシャツ１１は、図２（Ａ）に示すように、シャツ本体（衣服本体）１２と保持部１３とを備える。
【００２０】
シャツ本体１２は、男女兼用のＴシャツによって構成されている。
保持部１３は、上側スライダー付き線ファスナー１４と下側スライダー付き線ファスナー１５とによって構成されている。
【００２１】
上側スライダー付き線ファスナー１４は、シャツ本体１２の表地の左右方向中央部の上端部のシャツ本体１２の首元から下方に間隔を空けて設けられている。上側スライダー付き線ファスナー１４は、上端部がシャツ本体１２に縫い付けられた左右方向に延びる上側シャツ用テープ１６と、上側シャツ用テープ１６下端に設けられた上側シャツ用務歯（上側の衣服側の務歯、上側シャツ用エレメント）１７と、上側シャツ用務歯１７に支持された上側スライダー１８とを備える。
【００２２】
下側スライダー付き線ファスナー１５は、上側スライダー付き線ファスナー１４の下方に間隔を空けて設けられている。下側スライダー付き線ファスナー１５は、下端部がシャツ本体１２に縫い付けられた左右方向に延びる下側シャツ用テープ１９と、下側シャツ用テープ１９上端に設けられた下側シャツ用務歯（下側の衣服側の務歯、下側シャツ用エレメント）２０と、下側シャツ用務歯２０に支持された下側スライダー２１とを備える。
【００２３】
本実施形態では、図２（Ｂ）に示すように、保持部１３は、身飾品の一例としての身飾布２２を保持することが可能となっている。身飾布２２は、上側線ファスナー２３と下側線ファスナー２４とを備える。
【００２４】
上側線ファスナー２３は、身飾布２２の表地上端に支持されている。上側線ファスナー２３は、下端部が身飾布２２上端部に縫い付けられた左右方向に延びる上側身飾布用テープ２５と、上側身飾布用テープ２５上端に設けられた上側身飾布用務歯（上側の身飾品側の務歯、上側身飾布用エレメント）２６とを備える。
下側線ファスナー２４は、身飾布２２の表地下端に支持されている。下側線ファスナー２４は、上端部が身飾布２２下端部に縫い付けられた左右方向に延びる下側身飾布用テープ２７と、下側身飾布用テープ２７下端に設けられた下側身飾布用務歯（下側の身飾品側の務歯、下側身飾布用エレメント）２８とを備える。
【００２５】
よって、各身飾布用務歯２６、２８を各スライダー１８、２１に取り付けて、各スライダー１８、２１をスライド移動させて上側の各務歯１７、２６と下側の各務歯２０、２８とを噛み合わせて上側の各線ファスナー１４、２３と下側の各線ファスナー１５、２４とを閉塞することにより、シャツ１に身飾布２２を装着することが可能となっている。
【００２６】
以上説明したように、本実施形態に係るシャツ１１によれば、身飾布２２の各線ファスナー２３、２４を保持する保持部１３がシャツ本体１２の表地に設けられている。
このようにすることで、線ファスナーがシャツ本体の裏地側に設けられる衣服よりも各線ファスナー１４、１５、２３、２４が使用者の身体を押圧する感触によって衣服の着心地が悪くなり難くなる。また、シャツ１１が肌着の場合には各線ファスナー１４、１５、２３、２４が素肌に接触しないので、シャツ１１の着心地が悪く不快になることを低減できる。この結果、使用者の不快感を低減できる。また、保持部１３がシャツ本体１２の表地に設けられているので、身飾布２２を装着しないときには各スライダー付き線ファスナー１４、１５をシャツ１１の外観のデザインとして用いることもできる。
【００２７】
また、シャツ１１から身飾布２２を脱着することができるので、シャツ１１のみを洗濯することができる。この結果、例えば、帯地等の洗濯が困難な布を身飾布２２の材料にしても、シャツ１１のみを洗濯して身飾布２２を洗濯しないようにすることができる。また、身飾布２２を装着しないときには各スライダー付き線ファスナー１４、１５どうしの間が露出するため、例えば、模様として予めメッセージ性のある文字（例えば、「Ｉ  ｌｏｖｅ  ｙｏｕ！」等）をプリントしておけば、身飾布２２を装着したときに当該文字を隠すことができ、身飾布２２を脱着するまで他者に見せないようにすることができる。
【００２８】
なお、本実施形態では、身飾布２２をシャツ本体１２の目立つ位置で保持するために、各スライダー付き線ファスナー１４、１５を首元よりも下方に設けたが、各スライダー付き線ファスナー１４、１５の位置はこれに限定されず、シャツ本体２の表地の任意の位置に設けてもよい。
なお、本実施形態では、保持部１３として各スライダー付き線ファスナー１４、１５を上下１組設けたが、各スライダー付き線ファスナー１４、１５の数はこれに限定されず、２組以上設けてもよい。
なお、本実施形態では、保持部１３として各スライダー付き線ファスナー１４、１５を上下１組設けたが、例えば、下側スライダー付き線ファスナー１５を省略してもよい。また、例えば、一方のスライダー付き線ファスナー１４、１５を他の保持具に替えてもよい。この場合、身飾布２２側も対応する留め具に替える必要がある。
なお、本実施形態では、シャツ１１に身飾布２２を装着したが、例えば、金属板等であってもよい。
【００２９】
その他、上記実施形態に係るシャツ１、１１の構成は一例であり、本考案が解決しようとする課題を解決可能な限りにおいて任意に変更および修正が可能である。
【符号の説明】
【００３０】
１、１１  シャツ、２、１２  シャツ本体、３、１３  保持部、４  上側環状部材、５  下側環状部材、６  身飾品、７  カニカン、１４  上側スライダー付き線ファスナー、１５  下側スライダー付き線ファスナー、１６  上側シャツ用テープ、１７  上側シャツ用務歯、１９  下側シャツ用テープ、２０  下側シャツ用務歯、２２  身飾布、２３  上側線ファスナー、２４  下側線ファスナー、２６  上側身飾布用務歯、２８  下側身飾布用務歯。
【図１】
0003197012.tif 000003
【図２】
0003197012.tif 000004